(57)【特許請求の範囲】
【請求項１】
トップシートとバックシートとこれらの間に配された吸収性コアとを有し、前後方向と幅方向を有する吸収性物品であって、
前記トップシートには、幅方向の一方側と他方側に、前後方向に中央領域と端部領域とこれらの間に位置する中間領域を有し、幅方向の外方に傾倒するように形成された第１フラップが設けられ、
前記第１フラップには、前後方向に延びる第１弾性部材が設けられ、
前記第１フラップの外側面は、前記中央領域が中央接合部で前記トップシートに接合され、前記端部領域が端部接合部で前記トップシートに接合され、前記中間領域が中間接合部で前記トップシートに接合され、
前記端部接合部が前記中間接合部よりも幅方向の外方に位置するとともに、前記中央接合部が前記中間接合部よりも幅方向の外方に位置し、前記第１弾性部材が前記中間領域において連続的に設けられていることを特徴とする吸収性物品。
【請求項２】
トップシートとバックシートとこれらの間に配された吸収性コアとを有し、前後方向と幅方向を有する吸収性物品であって、
前記トップシートには、幅方向の一方側と他方側に、前後方向に中央領域と端部領域とこれらの間に位置する中間領域を有し、幅方向の外方に傾倒するように形成された第１フラップが設けられ、
前記第１フラップには、少なくとも前記中央領域と前記中間領域に前後方向に延びる第１弾性部材が設けられ、
前記第１フラップの外側面は、前記中央領域が中央接合部で前記トップシートに接合され、前記端部領域が端部接合部で前記トップシートに接合され、前記中間領域が中間接合部で前記トップシートに接合され、
前記端部接合部が前記中間接合部よりも幅方向の外方に位置し、前記第１弾性部材が前記中間領域において連続的に設けられ、前記中央領域において断続的に設けられていることを特徴とする吸収性物品。
【請求項３】
前記第１フラップには、前記第１弾性部材が幅方向に並んで複数設けられている請求項１または２に記載の吸収性物品。
【請求項４】
前記一方側の第１フラップの前記中間領域における起立基部と前記他方側の第１フラップの前記中間領域における起立基部との間の距離が６０ｍｍ以下である請求項１〜３のいずれか一項に記載の吸収性物品。
【請求項５】
前記第１フラップの幅方向の外方に、幅方向の内方に傾倒するように形成された第２フラップが設けられ、
前記第２フラップには、前後方向に延びる第２弾性部材が設けられている請求項１〜４のいずれか一項に記載の吸収性物品。
【請求項６】
前記第１フラップと前記第２フラップは、前記第１フラップの前記中間領域における起立基部と前記第２フラップの起立基部との間の距離が、前記一方側の第１フラップの前記中間領域における起立基部と前記他方側の第１フラップの前記中間領域における起立基部との間の距離よりも長くなるように設けられている請求項５に記載の吸収性物品。
【請求項７】
前記一方側の第１フラップの前記中間領域における起立基部と前記他方側の第１フラップの前記中間領域における起立基部との間に、前後方向に延びる第３弾性部材がさらに設けられている請求項１〜６のいずれか一項に記載の吸収性物品。
【発明の詳細な説明】
【技術分野】
【０００１】
本発明は、肌面側に補助吸収体を配して好適に使用できる吸収性物品に関するものである。
【背景技術】
【０００２】
従来、使い捨ておむつ等の吸収性物品の肌面側に別体の吸収性物品（補助吸収体）を配して使用する方法が知られている。このような使用方法によれば、着用者から排泄された尿等を補助吸収体がまず受けることとなるため、補助吸収体のみを適宜交換して、その外側に装着される使い捨ておむつ等を使用し続けることにより、吸収性物品にかかるトータルの使用コストを低減することが可能となる。また、補助吸収体のみを交換することで、補助吸収体の外側に装着される使い捨ておむつ等を交換する場合と比べて、介護者等が交換作業を簡単に行えるようになる。
【０００３】
補助吸収体を併用するのに適した吸収性物品として、例えば特許文献１〜３には様々な吸収性物品が開示されている。これらの吸収性物品は、補助吸収体を併用するために様々な工夫がなされており、例えば、特許文献１に開示された吸収性物品では、少なくとも一対のサイドフラップが形成されるとともに、第１立体ギャザーの起立線より外側の部分で、かつ、サイドフラップ上に、少なくとも一対のサイドポケットが形成されている。特許文献２に開示された吸収性物品は、左右一対の帯状支持体と、左右の縁部がそれぞれ左右一対の帯状支持体を結合する連結シートを有している。特許文献３に開示された吸収性物品は、吸収体の肌側面に前後方向に延びるように設けられた第１フラップと、吸収体の肌側面に前後方向に延びるように設けられた第２フラップを有している。
【先行技術文献】
【特許文献】
【０００４】
【特許文献１】特開２００７−０００１９０号公報
【特許文献２】国際公開第２０１４／０５７５７１号
【特許文献３】特開２０１４−１２４５０９号公報
【発明の概要】
【発明が解決しようとする課題】
【０００５】
上記に説明したように、従来、補助吸収体を併用するのに適した吸収性物品が様々知られているが、補助吸収体の使用に当たっては、着用者から排泄された尿等をできる限り補助吸収体で吸収させ、補助吸収体の外側に装着される使い捨ておむつ等に尿等が溢れ出ないようにすることが望まれる。この点で、従来の吸収性物品には改善の余地があった。
【０００６】
本発明は前記事情に鑑みてなされたものであり、その目的は、補助吸収体を併用した際に、着用者から排泄された尿等を補助吸収体で好適に受けることができる吸収性物品を提供することにある。
【課題を解決するための手段】
【０００７】
前記課題を解決することができた本発明の吸収性物品とは、トップシートとバックシートとこれらの間に配された吸収性コアとを有し、前後方向と幅方向を有する吸収性物品であって；トップシートには、幅方向の一方側と他方側に、前後方向に中央領域と端部領域とこれらの間に位置する中間領域を有し、幅方向の外方に傾倒するように形成された第１フラップが設けられ；第１フラップには、前後方向に延びる第１弾性部材が設けられ；第１フラップの外側面は、中央領域が中央接合部でトップシートに接合され、端部領域が端部接合部でトップシートに接合され、中間領域が中間接合部でトップシートに接合され；端部接合部が中間接合部よりも幅方向の外方に位置するとともに、中央接合部が中間接合部よりも幅方向の外方に位置するところに特徴を有する。本発明の吸収性物品は、中央接合部が中間接合部よりも幅方向の外方に位置するように設けられる代わりに、あるいはそれとともに、第１弾性部材が中央領域において断続的に設けられていてもよい。
【０００８】
本発明の吸収性物品は、第１フラップの外側面の中央接合部が中間接合部よりも幅方向の外方に位置するように形成され、あるいは、第１弾性部材が第１フラップの中央領域において断続的に設けられることにより、第１フラップの中央領域が中間領域よりも立ち上がりが抑えられるようになる。そのため、第１フラップの上に補助吸収体を載せた際、幅方向の外方に傾倒して立ち上がるように形成された第１フラップによって、補助吸収体は幅方向の断面が凹状に形成されやすくなるとともに、第１フラップの中央領域の立ち上がりが抑えられることにより、補助吸収体は前後方向の断面においても凹状に形成されやすくなる。その結果、第１フラップの上に載せられた補助吸収体は、着用者から排泄された尿等を好適に受けることができるとともに、尿等が補助吸収体から溢れ出にくくなり、尿等が補助吸収体によって好適に吸収されるようになる。
【０００９】
第１フラップには、第１弾性部材が幅方向に並んで複数設けられることが好ましい。このように第１弾性部材を設けることにより、第１フラップの上に補助吸収体を載せても、第１フラップが補助吸収体によって押しつぶされにくくなり、補助吸収体を着用者の肌に近付けて持ち上げやすくなる。
【００１０】
第１フラップは、一方側の第１フラップの中間領域における起立基部と他方側の第１フラップの中間領域における起立基部との間の距離が６０ｍｍ以下となるように設けられていることが好ましい。このように第１フラップを設けることにより、一方側の第１フラップと他方側の第１フラップが十分近接して設けられ、第１フラップの上に補助吸収体を載せやすくなる。また、第１フラップによって補助吸収体を着用者の肌に近付けて持ち上げやすくなる。
【００１１】
吸収性物品には、第１フラップの幅方向の外方に、幅方向の内方に傾倒するように形成された第２フラップが設けられ、第２フラップには、前後方向に延びる第２弾性部材が設けられていることが好ましい。第２フラップを設けることにより、第１フラップの上に載せられた補助吸収体から尿等が溢れ出ても、第２フラップが防漏壁となって横漏れを防止することができる。
【００１２】
第１フラップと第２フラップは、第１フラップの中間領域における起立基部と第２フラップの起立基部との間の距離が、一方側の第１フラップの中間領域における起立基部と他方側の第１フラップの中間領域における起立基部との間の距離よりも長くなるように設けられていることが好ましい。このように第１フラップと第２フラップを設けることにより、第１フラップの上に補助吸収体を載せた場合に、補助吸収体を着用者の肌により近付けて設置することができる。また、第２フラップは、吸収性物品の幅方向のより外側に設けられることとなるため、補助吸収体から尿等が溢れても、第２フラップによって尿等の横漏れが効果的に防止されるようになる。
【００１３】
吸収性物品には、一方側の第１フラップの中間領域における起立基部と他方側の第１フラップの中間領域における起立基部との間に、前後方向に延びる第３弾性部材がさらに設けられていることが好ましい。第３弾性部材を設けることにより、第１フラップの立ち上がりの起点となる起立基部が着用者の肌に向かって持ち上げられ、第１フラップの全体が着用者の肌に近付くように形成される。そのため、補助吸収体を着用者の肌に近付けて持ち上げやすくなる。
【発明の効果】
【００１４】
本発明の吸収性物品によれば、第１フラップの上に補助吸収体を載せた際、幅方向の外方に傾倒して立ち上がるように形成された第１フラップによって、補助吸収体の幅方向の断面が凹状に形成されやすくなるとともに、第１フラップの中央領域の立ち上がりが抑えられることにより、補助吸収体の前後方向の断面も凹状に形成されやすくなる。そのため、第１フラップの上に補助吸収体を載せた際、着用者から排泄された尿等を補助吸収体によって好適に受けることができるようになるとともに、尿等が補助吸収体から溢れ出にくくなり、補助吸収体によって尿等が好適に吸収されるようになる。
【図面の簡単な説明】
【００１５】
【図１】本発明の吸収性物品の一例を表し、吸収性物品を肌面側から見た平面図を表す。
【図２】図１に示した吸収性物品のＩＩ−ＩＩ断面図を表す。
【図３】図２において補助吸収体を吸収性物品上に載せた状態での吸収性物品の使用例を表す。
【図４】本発明の吸収性物品の他の例を表し、吸収性物品を肌面側から見た平面図を表す。
【図５】図４に示した吸収性物品の第１フラップを構成するシートの平面図を表す。
【図６】図４に示した吸収性物品のＶＩ−ＶＩ断面図を表す。
【発明を実施するための形態】
【００１６】
本発明の吸収性物品は、トップシートとバックシートとこれらの間に配された吸収性コアとを有し、トップシートの肌面側に幅方向の外方に傾倒するように形成された第１フラップが設けられたものである。本発明の吸収性物品は、第１フラップの上に別体の吸収性物品（以下、別体の吸収性物品を「補助吸収体」と称する）を配して好適に用いられ、第１フラップによって補助吸収体を着用者の肌に向かって持ち上げて、着用者から排泄された尿等を補助吸収体で好適に受けることができるようにしたものである。本発明の吸収性物品の態様としては使い捨ておむつや尿パッド等が示され、好ましくは使い捨ておむつに好適に適用される。
【００１７】
吸収性物品は、前後方向と幅方向を有する。吸収性物品の前後方向とは、吸収性物品を着用者が着用した際、着用者の股間の前後方向に延びる方向を意味する。吸収性物品の幅方向とは、吸収性物品と同一面上にあり、前後方向と直交する方向を意味する。また、吸収性物品の肌面側とは、吸収性物品を着用した際に着用者の肌に向く側を意味し、吸収性物品の外面側とは、吸収性物品を着用した際の着用者とは反対側を意味する。
【００１８】
吸収性物品の形状は特に限定されない。吸収性物品が尿パッドである場合、吸収性物品の形状としては、略長方形、砂時計形、ひょうたん形等が示される。
【００１９】
吸収性物品が使い捨ておむつである場合、吸収性物品は、例えば、前腹部と後背部とこれらの間に位置し吸収性コアが備えられた股部とから構成される。使い捨ておむつとしては、例えば、前腹部と後背部とこれらの間に位置する股部とからなる外装部材の肌側面に、トップシートとバックシートの間に吸収性コアが配された吸収性本体が設けられてもよい。このとき、吸収性本体の形状としては略長方形等が示される。使い捨ておむつとしてはまた、トップシートとバックシートの間に吸収性コアが配された積層体が、前腹部と後背部とこれらの間に位置する股部とを形成してもよい。なお、前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００２０】
吸収性物品が使い捨ておむつである場合、使い捨ておむつは、後背部の左右側端に止着部材が設けられ、当該止着部材により着用時にパンツ形状に形成するオープンタイプ（テープタイプ）の使い捨ておむつであったり、ウェスト開口部と一対の脚開口部とが形成されたパンツタイプの使い捨ておむつであってもよい。
【００２１】
トップシートは、吸収性物品の着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００２２】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００２３】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。
【００２４】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２５】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２６】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００２７】
吸収性コアは、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００２８】
シート状吸収体としては、吸収性材料として吸水性繊維を用いてもよい。この場合もまた、シート状吸収体が嵩張らず薄型に形成される。吸水性繊維としては、プロトン化または塩形成したカルボキシル基を含有する繊維が挙げられる。例えば、特公昭５２−４２９１６号公報に開示されるように、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２９】
吸収性コアの形状（平面形状）は特に限定されない。吸収性コアの形状は、用途に応じて適宜決定すればよく、例えば、略長方形、砂時計形、ひょうたん形、羽子板形等が挙げられる。
【００３０】
トップシートには、吸収性物品の幅方向の一方側と他方側に、幅方向の外方に傾倒するように形成された第１フラップが設けられている。第１フラップは、液透過性であっても液不透過性であってもよい。第１フラップには前後方向に延びる弾性部材が設けられており、この弾性部材の収縮力によって第１フラップが着用者の肌に向かって立ち上がるように形成される。以下、第１フラップに設けられる弾性部材を「第１弾性部材」と称する。
【００３１】
本発明の吸収性物品は、上記のように形成された第１フラップの上に補助吸収体を載せて用いることにより、補助吸収体の幅方向の外側部が幅方向の内側部よりも着用者の肌に近付くように持ち上げられ、補助吸収体が幅方向断面で凹状に形成されやすくなる。
【００３２】
第１フラップは、立ち上がる起点となる起立基部と、立ち上がった先端となる自由端を有する。第１フラップは、第１フラップを構成するシート部材のうち、起立基部から自由端に至る部分（すなわち起立部）を含み、幅方向の最も内方に位置する起立基部から幅方向の外方側にある部分に相当する。つまり、第１フラップを構成するシート部材に、幅方向の最も内方に位置する起立基部で前後方向に延びる境界線を引き、当該境界線よりも幅方向の外方側にあり、かつ自由端を含む部分を、第１フラップと見なす。
【００３３】
第１フラップは、前後方向に中央領域と端部領域とこれらの間に位置する中間領域を有する。端部領域は第１フラップの前後方向の端部を含む領域であり、前側端部領域と後側端部領域とから構成される。中間領域は中央領域と端部領域の間に位置する領域であり、中央領域と前側端部領域の間に形成される前側中間領域と、中央領域と後側端部領域の間に形成される後側中間領域とから構成される。すなわち第１フラップは、前後方向の前側から順に、前側端部領域、前側中間領域、中央領域、後側中間領域、後側端部領域を有することとなる。
【００３４】
中央領域と端部領域と中間領域の長さ（前後方向に対する長さ）は特に限定されない。例えば、第１フラップの前後方向に対する相対位置として前側端を０％とし後側端を１００％としたとき、前側端部領域が０％〜２５％の領域にあり、中央領域が４０％〜６０％の領域にあり、後側端部領域が７５％〜１００％の領域にあればよい。なお、前記説明した相対位置は、吸収性物品に設けられる弾性部材を完全に伸張させた状態（すなわち、弾性部材を除去した状態あるいは弾性部材を細かく切断して弾性部材の収縮力が発現しない状態）で測定する。なお、本発明においては、その他の様々な長さや位置に関しても、同様の条件で測定した値を用いる。
【００３５】
第１フラップの外側面は、中央領域が中央接合部でトップシートに接合され、端部領域が端部接合部でトップシートに接合され、中間領域が中間接合部でトップシートに接合され、端部接合部が中間接合部よりも幅方向の外方に位置している。第１フラップがこのようにトップシートに接合されることにより、第１フラップが、第１弾性部材の収縮力によって幅方向の外方に傾倒して立ち上がるようになる。なお、第１フラップの外側面とは、第１フラップが立ち上がった状態で、第１フラップの幅方向に対する外側面を意味する。第１フラップは、例えば、接着剤、熱融着、超音波融着等の接合手段によりトップシートに接合されればよい。
【００３６】
第１フラップの外側面は、トップシートに直接または間接的に接合されればよい。例えば、断面Ｖ字状に折り返されたシート部材を、折り目を挟んだ一方側をトップシートに接合し、他方側を第１フラップとして形成する場合は、第１フラップの外側面は、当該シート部材を介してトップシートに接合されることとなるが、このように第１フラップの外側面がトップシートに接合されていてもよい。
【００３７】
第１フラップは、少なくとも中間領域が起立するように形成されていればよく、後述するように、中央領域は中間領域よりも立ち上がりが抑えられるように形成されている。なお中央領域は、起立可能に形成されていてもよく、起立不能に形成されていてもよい。第１フラップの中間領域では、立ち上がりの起点となる起立基部のみがトップシートに接合されていてもよく、この場合も、第１フラップの外側面がトップシートに接合されているものと見なす。第１フラップの中間領域は、起立基部から自由端までの長さが１５ｍｍ以上であることが好ましく、２０ｍｍ以上がより好ましく、これにより第１フラップの中間領域が十分に高さで立ち上がりやすくなる。中間領域の起立基部から自由端までの長さの上限は特に限定されないが、例えば、６０ｍｍ以下が好ましく、５０ｍｍ以下がより好ましい。
【００３８】
端部接合部は、中間接合部よりも幅方向の外方に位置する部分を含むように設けられる限り、中間接合部と幅方向の位置が重なる部分を含んでいてもよく、また中間部よりも幅方向の内方に位置する部分を含んでいてもよい。端部接合部は、幅方向に断続的に設けられていてもよい。端部接合部は、少なくとも一部が自由端（端部領域の幅方向の外方端）から８ｍｍ以内（より好ましくは５ｍｍ以内）にあることが好ましく、これにより第１フラップの中間領域が高く立ち上がりやすくなる。
【００３９】
第１フラップは、中央領域が中間領域よりも立ち上がりが抑えられるように形成されている。具体的には、第１フラップは、中央領域が中間領域よりも立ち上がる高さが低くなるように形成されているか、立ち上がる力（補助吸収体を持ち上がる力）が弱くなるように形成されている。このように第１フラップを形成することにより、第１フラップの上に補助吸収体を載せた際、中央領域で補助吸収体が持ち上げられる高さが低くなり、補助吸収体が前後方向断面で凹状に形成されやすくなる。また上記に説明したように、第１フラップは幅方向の外方に傾倒して立ち上がるように形成されているため、第１フラップの上に載せられた補助吸収体は、幅方向断面でも凹状に形成されやすくなる。その結果、第１フラップの上に載せられた補助吸収体は、着用者から排泄された尿等を好適に受けることができるとともに、尿等が補助吸収体から溢れ出にくくなり、補助吸収体によって好適に吸収されやすくなる。
【００４０】
第１フラップの中央領域が中間領域よりも立ち上がりが抑えられるようにするために、第１フラップの外側面は、中央接合部が中間接合部よりも幅方向の外方に位置するように、トップシートに接合されることが好ましい（第１実施態様）。中央接合部をこのようにトップシートに接合することにより、第１フラップの中央領域が立ち上がる高さが低く抑えられ、第１フラップの上に補助吸収体を載せた際、中央領域で補助吸収体の持ち上がる高さが低くなる。
【００４１】
中央接合部は、中間接合部よりも幅方向の外方に位置する部分を含むように設けられる限り、中間接合部と幅方向の位置が重なる部分を含んでいてもよく、また中間部よりも幅方向の内方に位置する部分を含んでいてもよい。中央接合部は、幅方向に断続的に設けられていてもよい。中央接合部は、少なくとも一部が自由端（中央領域の幅方向の外方端）から１０ｍｍ以内（より好ましくは８ｍｍ以内）にあることが好ましく、これにより第１フラップの中央領域の立ち上がりを十分に低く抑えることができる。
【００４２】
第１フラップの中央領域が中間領域よりも立ち上がりが抑えられるようにするためには、第１弾性部材が中央領域において断続的に設けられることも好ましい（第２実施態様）。このように第１弾性部材を設けることにより、第１フラップの中央領域で第１弾性部材の収縮力が低下し、第１フラップの上に補助吸収体を載せた際、中央領域で補助吸収体が持ち上げられる高さが低くなる。第１弾性部材が中央領域において断続的に設けられる場合、第１弾性部材の中央領域における断続部分は１ヶ所のみであってもよく、２ヶ所以上あってもよい。
【００４３】
第１弾性部材は、中間領域においては連続的に設けられる。第１弾性部材は、前側中間領域から後側中間領域にかけて設けられ、上記の第２実施態様においては、第１弾性部材が中央領域で切断されることにより、第１弾性部材が中央領域において断続的に設けられることが好ましい。上記の第１実施態様においては、第１弾性部材は、前側中間領域から中央領域を経て後側中間領域にかけて連続的に設けられてもよく、中央領域において断続的に設けられてもよい。第１弾性部材は、さらに前側端部領域および／または後側端部領域に延在していてもよい。
【００４４】
第１弾性部材は伸張状態で第１フラップに固定されることが好ましい。第１弾性部材は、例えば接着剤等の公知の接合手段により、第１フラップに固定されればよい。
【００４５】
第１弾性部材は、少なくとも第１フラップの自由端の近傍に設けられることが好ましく、例えば、少なくとも自由端から５ｍｍ以内（より好ましくは３ｍｍ以内）の領域に設けられることが好ましい。このように第１弾性部材を設けることにより、第１フラップに補助吸収体を載せた際、補助吸収体を幅方向断面で深い凹状に形成しやすくなる。
【００４６】
第１フラップには、第１弾性部材が幅方向に並んで複数設けられることが好ましい。このように第１弾性部材を設けることにより、第１フラップの上に補助吸収体を載せても、第１フラップが補助吸収体によって押しつぶされにくくなり、補助吸収体を着用者の肌に近付けて持ち上げやすくなる。好ましくは、第１弾性部材は、幅方向に並んで３本以上設けられる。
【００４７】
第１弾性部材は、第１フラップの起立基部から自由端に至る起立部を幅方向に３分割したとき、３分割したそれぞれの部分に前後方向に延びるように設けられることが好ましい。このように第１弾性部材を複数設けることにより、第１フラップ全体の剛性を高めることができ、補助吸収体が尿等を吸収した場合でも、補助吸収体を着用者の肌に近付けた状態を維持しやすくなる。
【００４８】
第１フラップは、吸収性物品の幅方向の一方側と他方側にそれぞれ設けられるが、一方側の第１フラップと他方側の第１フラップは互いに近接して設けられることが好ましい。具体的には、一方側の第１フラップの中間領域における起立基部と他方側の第１フラップの中間領域における起立基部との間の距離（すなわち第１フラップの中間領域における起立基部間の距離）が６０ｍｍ以下であることが好ましく、５０ｍｍ以下であることがより好ましく、４０ｍｍ以下であることがさらに好ましい。このように第１フラップを設けることにより、第１フラップの上に補助吸収体を載せやすくなり、また第１フラップによって補助吸収体を着用者の肌に近付けて持ち上げやすくなる。
【００４９】
第１フラップの中間領域における起立基部間の距離は、第１フラップの中間領域における起立基部から自由端までの長さの１．８倍以下となることが好ましく、１．６倍以下がより好ましい。このように第１フラップを形成することにより、第１フラップが幅方向の内方に倒れにくくなる。すなわち、一方側の第１フラップが幅方向の内方に倒れそうになったとしても、他方側の第１フラップが邪魔になって、第１フラップが幅方向の内方に完全に倒れるのが阻止されやすくなる。
【００５０】
第１フラップは、吸収性物品の前後方向の全長にわたって設けられてもよく、吸収性物品の前後方向の一部に設けられてもよい。なお、第１フラップの上に補助吸収性物品を載せやすくする点から、第１フラップは、吸収性物品の前後方向の７０％以上（より好ましくは８０％以上であり、さらに好ましくは９０％以上である）の長さを有することが好ましい。また、第１フラップは、吸収性物品の前後方向の長さ全体にわたって設けられることも好ましい。
【００５１】
第１フラップは、一方側の第１フラップと他方側の第１フラップが１つのシート部材から形成されてもよく、別々のシート部材から形成されてもよい。前者の場合、トップシートの上にセンターシートを配し、センターシートの幅方向の中央部をトップシートに接合し、センターシートの両端部が立ち上がるように形成することで、それぞれの第１フラップを形成することができる。後者の場合、トップシートの幅方向の両側に右側センターシートと左側センターシートを配し、右側センターシートと左側センターシートの幅方向の内側部をトップシートに接合し、外側部が立ち上がるように形成することで、それぞれの第１フラップを形成することができる。
【００５２】
センターシート（左側センターシートと右側センターシートを含む）には、トップシートやバックシートに使用可能なシート材料を用いることができる。なお、第１フラップあるいはセンターシートは液透過性であることが好ましく、これにより、補助吸収体が受けた尿等が補助吸収体から溢れて第１フラップの上に移行したり、一方側と他方側の第１フラップの間に移行しても、尿等が第１フラップやセンターシートを透過して、吸収性コアに好適に吸収させることができる。その結果、吸収性物品からの尿等の漏れを防止しやすくなる。
【００５３】
吸収性物品には、第１フラップの幅方向の外方に第２フラップが設けられることが好ましい。この場合、吸収性物品の肌面側には、第１フラップと第２フラップと合わせて合計４つのフラップが設けられることとなる。第２フラップは、尿等の横漏れを防ぐために設けられる。従って、第２フラップは液不透過性であることが好ましい。第２フラップは、一般の吸収性物品に設けられる防漏フラップに相当するものである。
【００５４】
第２フラップには、前後方向に延びる弾性部材が設けられることが好ましく、この弾性部材の収縮力によって、第２フラップが着用者の肌に向かって立ち上がるように形成される。以下、第２フラップに設けられる弾性部材を「第２弾性部材」と称する。
【００５５】
第２弾性部材は伸張状態で第２フラップに固定されることが好ましい。第２弾性部材は、第２フラップが立ち上がる起点を起立基部とし、立ち上がった先端を自由端としたとき、少なくとも自由端の近傍に設けられることが好ましい。第２弾性部材は、少なくとも自由端から１０ｍｍ以内（より好ましくは５ｍｍ以内）の領域に設けられることが好ましい。第２フラップには、第２弾性部材が幅方向に並んで複数設けられていてもよい。
【００５６】
第２フラップは、幅方向の内方に傾倒するように形成されている。第２フラップが幅方向の内方に傾倒するように立ち上がることにより、補助吸収体から溢れ出た尿等が第２フラップを越えて漏れ出しにくくなる。
【００５７】
第２フラップは、第２フラップを構成するシート部材のうち、起立基部から自由端に至る部分（すなわち起立部）を含み、幅方向の最も外方に位置する起立基部から幅方向の内方側にある部分に相当する。つまり、第２フラップを構成するシート部材に、幅方向の最も外方に位置する起立基部で前後方向に延びる境界線を引き、当該境界線よりも幅方向の内方側にあり、かつ自由端を含む部分を、第２フラップと見なす。
【００５８】
第２フラップは内側面がトップシートに接合され、その際、第２フラップの内側面の前後方向の端部領域がその間の領域よりも幅方向の内方でトップシートに接合されることが好ましい。このように第２フラップを設けることにより、第２フラップが幅方向の内方に傾倒して立ち上がりやすくなる。なお、第２フラップの内側面とは、第２フラップが立ち上がった状態で、第２フラップの幅方向に対する内側面を意味する。第２フラップは、例えば、接着剤、熱融着、超音波融着等の接合手段により、トップシート等に直接または間接的に接合されればよい。
【００５９】
第２フラップは、第１フラップと重ならないように設けられることが好ましい。具体的には、第１フラップと第２フラップは、倒伏した状態で互いに離間するように形成されていることが好ましい。このように第１フラップと第２フラップが形成されていれば、吸収性物品を使用する際、第１フラップと第２フラップの両方が立ち上がりやすくなる。
【００６０】
第１フラップと第２フラップは、第１フラップの中間領域における起立基部と第２フラップの起立基部との間の距離が、一方側の第１フラップの中間領域における起立基部と他方側の第１フラップの中間領域における起立基部との間の距離よりも長くなるように設けられていることが好ましい。この場合、幅方向の一方側と他方側の第１フラップは互いに接近して設けられることとなるため、第１フラップの上に補助吸収体を載せた場合に、補助吸収体を着用者の肌により近付けて設置することができる。また、第２フラップは、吸収性物品の幅方向のより外側に設けられることとなるため、補助吸収体から尿等が溢れても、第２フラップによって尿等の横漏れが効果的に防止されるようになる。なお、第１フラップの中間領域における起立基部と第２フラップの起立基部との間の距離は、第１フラップと当該第１フラップの幅方向の外方に位置する第２フラップとの間の距離を意味する。
【００６１】
吸収性物品には、一方側の第１フラップと他方側の第１フラップの間に、前後方向に延びる弾性部材が設けられることが好ましい。具体的には、一方側の第１フラップの中間領域における起立基部と他方側の第１フラップの中間領域における起立基部との間に、前後方向に延びる弾性部材が設けられることが好ましい。一方側の第１フラップと他方側の第１フラップの間に前後方向に延びる弾性部材を設けることにより、第１フラップの立ち上がりの起点となる起立基部が着用者の肌に向かって持ち上げられ、第１フラップ全体が着用者の肌に近付くように形成される。以下、一方側の第１フラップと他方側の第１フラップの間に設けられる弾性部材を「第３弾性部材」と称する。
【００６２】
第３弾性部材の設けられる本数は特に限定されないが、第３弾性部材は、吸収性物品の幅方向の中心の両側にそれぞれ設けられることが好ましい。また第３弾性部材は、第１フラップの中間領域における起立基部から、幅方向の内方に１０ｍｍ以内の領域に設けられることが好ましく、７ｍｍ以内の領域に設けられることがより好ましく、５ｍｍ以内の領域に設けられることがさらに好ましい。
【００６３】
第３弾性部材は、吸収性コアよりも肌面側に設けられることが好ましい。このように第３弾性部材を設けることにより、第１フラップを着用者の肌により近付けることができる。そのため、第１フラップの上に載せられる補助吸収体も、着用者の肌により近付けて設置することができる。具体的には、第３弾性部材は吸収性コアとトップシートの間や、トップシートの上に設けることができる。また、第１フラップを上記に説明したセンターシート（左側センターシートと右側センターシートを含む）から形成する場合は、第３弾性部材は、センターシートとトップシートの間に設けてもよい。またこの場合において、センターシートが複数層から構成される場合には、第３弾性部材を当該複数のセンターシート間に配してもよい。
【００６４】
上記に説明した各弾性部材としては、ポリウレタン糸、ポリウレタンフィルム、天然ゴム等の通常吸収性物品に用いられる弾性伸縮材料を用いることができる。弾性部材は、伸張状態で、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００６５】
吸収性物品は、吸収性コアに開口や凹部が形成されていてもよい。この場合、吸収性コアの開口または凹部は、一方側の第１フラップと他方側の第１フラップの間に、前後方向に延びるように設けられることが好ましい。具体的には、一方側の第１フラップの中間領域における起立基部と他方側の第１フラップの中間領域における起立基部との間に、前後方向に延びる開口または凹部が吸収性コアに設けられることが好ましい。このように吸収性コアが形成されていれば、吸収性物品を着用者が着用した状態で、吸収性コアが開口または凹部で窪んだ形状、すなわち幅方向断面が略Ｖ字状に形成されやすくなる。その結果、第１フラップ上に載せられた補助吸収体が幅方向断面で凹状に形成されやすくなる。
【００６６】
開口は、吸収性コアを厚み方向に貫通して設けられるか、吸収性コアを左右方向に分割するように設けられる。凹部は、吸収性コアの目付けが小さくなるように形成される。凹部は、目付けが、凹部以外の部分よりも６０質量％以下（より好ましくは５０質量％以下であり、さらに好ましくは４０質量％以下である）となるように形成されることが好ましい。
【００６７】
吸収性コアの開口または凹部は、第１フラップの起立基部と重ならないように設けられることが好ましい。また吸収性物品に上記に説明した第３弾性部材が設けられる場合は、第３弾性部材が、開口または凹部よりも幅方向の外方に設けられることが好ましい。すなわち、第３弾性部材が、吸収性コアの開口または凹部の幅方向の外側端と第１フラップの起立基部の間の位置に設けられることが好ましい。これにより、吸収性コアが開口または凹部で窪んだ形状に形成されやすくなるとともに、第１フラップの全体が着用者の肌に近付くように形成されやすくなる。
【００６８】
次に、本発明の吸収性物品の構成例について、図面を参照して説明する。図面では、吸収性物品としてオープンタイプ（テープタイプ）の使い捨ておむつが示されている。なお本発明は、図面に示された実施態様に限定されるものではない。
【００６９】
図１〜図３には、本発明の吸収性物品の一例を示した。図１は、吸収性物品としてオープンタイプの使い捨ておむつを肌面側から見た平面図を表し、図２は、図１に示した吸収性物品のＩＩ−ＩＩ断面図を表し、図３は、図２において補助吸収体を吸収性物品上に載せた状態での吸収性物品の使用例を表す。本願の図では、矢印ｘが幅方向、矢印ｙが前後方向を表し、矢印ｘ，ｙにより形成される面に対して垂直方向が上下方向ｚを表す。なお図１では、図面の上側が吸収性物品の前側に相当し、図面の下側が吸収性物品の後側に相当する。また図１では、第１フラップが倒伏した状態が示されているが、図２と図３では、第１フラップが起立した状態が示されている。
【００７０】
吸収性物品１（１Ａ）は、トップシート２とバックシート３との間に配された吸収性コア４とを有する。トップシート２を透過した排泄物は、吸収性コア４により収容される。バックシート３は吸収性コア４の外面側に設けられ、排泄物が外部へ漏れるのを防いでいる。吸収性物品１Ａでは、吸収性コア４は砂時計形に形成されている。
【００７１】
吸収性物品１Ａの前後方向ｙの後側部には、左右側端部に止着部材１４が取り付けられている。止着部材１４は基材シート１５に留め具１６が設けられて構成されている。吸収性物品１Ａは、着用者の股間に当てて、止着部材１４の留め具１６を吸収性物品１Ａの前側部の外側面に接合することで、装着することができる。留め具１６としては、フック・ループ・ファスナーのフック部材や粘着剤を採用することができる。
【００７２】
トップシート２には、幅方向ｘの一方側と他方側に、幅方向ｘの外方に傾倒するように形成された第１フラップ５が設けられている。図面では、トップシート２の上にセンターシート７が配され、センターシート７の幅方向ｘの中央部をトップシート２に接合し、センターシート７の幅方向ｘの両端部が立ち上がるように形成することで、第１フラップ５が形成されている。第１フラップ５は、幅方向ｘの一方側の第１フラップ５Ａと他方側の第１フラップ５Ｂとから構成されている。図１では、センターシート７がトップシート２に接合されている箇所がクロスハッチングで表されている。
【００７３】
第１フラップ５は、前後方向ｙに中央領域Ｃと端部領域Ｅとこれらの間に位置する中間領域Ｍを有し、第１フラップ５の外側面は、中央領域Ｃが中央接合部でトップシート２に接合され、端部領域Ｅが端部接合部でトップシート２に接合され、中間領域Ｍが中間接合部でトップシート２に接合されている。そして、第１フラップ５の外側面は、端部接合部が中間接合部よりも幅方向ｘの外方に位置するようにトップシート２に接合されている。吸収性物品１Ａでは、第１フラップ５の端部接合部が面状に形成され、中央接合部と中間接合部が前後方向ｙに延びる線状に形成されている。
【００７４】
第１フラップ５には、前後方向ｙに延びる第１弾性部材６が設けられている。第１フラップ５は、上記のようにトップシート２に接合され、第１弾性部材６が設けられることにより、幅方向ｘの外方に傾倒して立ち上がるように形成される。吸収性物品１Ａでは、第１弾性部材６が、前側の端部領域Ｅから後側の端部領域Ｅにかけて延在し、中央領域Ｃにおいて断続的に設けられている。一方、端部領域Ｅと中間領域Ｍでは、第１弾性部材６は連続的に設けられている。なお第１弾性部材６は、吸収性物品１Ａを肌面側から見たときに直接視認できないように設けられているため、図１では、第１弾性部材６が連続的に設けられている箇所（すなわち端部領域Ｅと中間領域Ｍ）でも点線で表されている。他の弾性部材についても同様である。
【００７５】
吸収性物品１Ａは、第１フラップ５が幅方向ｘの外方に傾倒するように形成され、第１弾性部材６が第１フラップ５に設けられることにより、図３に示すように第１フラップ５の上に補助吸収体２０を載せた際、第１フラップ５によって補助吸収体２０を着用者の肌に向かって持ち上げることができる。この際、補助吸収体２０は、幅方向ｘの外方に傾倒して立ち上がるように形成された第１フラップ５によって、幅方向ｘの断面が凹状に形成されやすくなるとともに、第１弾性部材６が第１フラップ５の中央領域Ｃにおいて断続的に設けられることにより、第１フラップ５が中央領域Ｃで補助吸収体２０を持ち上げる力が弱まり、前後方向ｙの断面においても凹状に形成されやすくなる。その結果、第１フラップ５の上に載せられた補助吸収体２０は、着用者から排泄された尿等を好適に受けることができるとともに、尿等が補助吸収体２０から溢れ出にくくなり、補助吸収体２０によって尿等が好適に吸収されるようになる。
【００７６】
吸収性物品１Ａでは、第１弾性部材６が、幅方向ｘに並んで複数（図面では各第１フラップに３本ずつ）設けられている。第１弾性部材６を複数設けることにより、第１フラップ５の上に補助吸収体２０を載せても、第１フラップ５が補助吸収体２０によって押しつぶされにくくなり、補助吸収体２０を着用者の肌に近付けて持ち上げやすくなる。
【００７７】
吸収性物品１Ａにはさらに、一方側の第１フラップ５Ａと他方側の第１フラップ５Ｂの間に、前後方向ｙに延びる第３弾性部材１１が設けられている。詳細には、第１フラップ５Ａの中間領域Ｍにおける起立基部と第１フラップ５Ｂの中間領域Ｍにおける起立基部の間に、第３弾性部材１１が設けられている。第３弾性部材１１によって、第１フラップ５の全体が着用者の肌に近付くように形成される。
【００７８】
吸収性物品１Ａの幅方向ｘの両側には、吸収性コア４の幅方向ｘの外方に、脚用弾性部材１２が設けられている。脚用弾性部材１２により着用者の脚周りに沿ったレッグギャザーが形成され、脚周りからの尿等の排泄物の漏れが防止される。
【００７９】
吸収性物品１Ａの前後方向ｙの端部には、ウェスト用弾性部材１３が設けられている。ウェスト用弾性部材１３により着用者の腰周りに沿ったウェストギャザーが形成され、背中側や腹側からの尿等の漏れが防止される。
【００８０】
次に、本発明の吸収性物品の他の構成例について説明する。図４は、吸収性物品としてオープンタイプの使い捨ておむつを肌面側から見た平面図を表し、図５は、図４に示した吸収性物品の第１フラップを構成するセンターシートの平面図を表し、図６は、図４に示した吸収性物品のＶＩ−ＶＩ断面図を表す。なお、図４では、第１フラップと第２フラップが倒伏した状態が示されているが、図６では、第１フラップと第２フラップが起立した状態が示されている。下記の説明においては、上記の説明と重複する部分の説明を省略する。
【００８１】
図４〜図６に示した吸収性物品１（１Ｂ）では、第１弾性部材６が第１フラップ５の中央領域Ｃにおいても連続的に設けられている（図５を参照）。詳細には、第１弾性部材６が第１フラップ５の前側の端部領域Ｅから後側の端部領域Ｅにかけて連続的に設けられている。そして、第１フラップ５の外側面が、端部接合部が中間接合部よりも幅方向ｘの外方に位置するようにトップシート２に接合されるとともに、中央接合部も中間接合部よりも幅方向ｘの外方に位置するようにトップシート２に接合されている。吸収性物品１Ｂでは、第１フラップ５の端部接合部と中央接合部が面状に形成され、中間接合部が前後方向ｙに延びる線状に形成されている。
【００８２】
吸収性物品１Ｂにおいても、第１フラップ５の上に補助吸収体を載せると、補助吸収体は、幅方向ｘの外方に傾倒して立ち上がるように形成された第１フラップ５によって、幅方向ｘの断面が凹状に形成されやすくなるとともに、第１フラップ５は中央領域Ｃの立ち上がる高さが低く抑えられるため、前後方向ｙの断面においても凹状に形成されやすくなる。その結果、第１フラップ５の上に載せられた補助吸収体は、着用者から排泄された尿等を好適に受けることができるとともに、尿等が補助吸収体から溢れ出にくくなり、補助吸収体によって尿等が好適に吸収されるようになる。
【００８３】
吸収性物品１Ｂには、第１フラップ５の幅方向ｘの外方に、幅方向ｘの内方に傾倒するように形成された第２フラップ８がさらに設けられている。第２フラップ８によって、第１フラップ５の上に載せられた補助吸収体から尿等が溢れても、吸収性物品１Ｂからの横漏れを防止することができる。図面では、トップシート２の上にサイドシート１０が配され、サイドシート１０の幅方向ｘの外側部をトップシート２またはバックシート３に接合し、サイドシート１０の幅方向ｘの内側部が立ち上がるように形成することで、第２フラップ８が形成されている。第２フラップ８は、幅方向ｘの一方側の第２フラップ８Ａと他方側の第２フラップ８Ｂとから構成されている。図４では、サイドシート１０がトップシート２またはバックシート３に接合されている箇所がクロスハッチングで表されている。
【００８４】
第２フラップ８は、内側面の前後方向ｙの端部領域がトップシート２に接合されるとともに、第２フラップ８に、前後方向ｙに延びる第２弾性部材９が設けられている。このように第２フラップ８が構成されることにより、第２フラップ８が幅方向ｘの内方に傾倒して立ち上がるように形成される。
【００８５】
第１フラップ５と第２フラップ８は、第１フラップ５Ａ（または５Ｂ）の中間領域Ｍにおける起立基部と第２フラップ８Ａ（または８Ｂ）の起立基部との間の距離が、一方側の第１フラップ５Ａの中間領域Ｍにおける起立基部と他方側の第１フラップ５Ｂの中間領域Ｍにおける起立基部との間の距離よりも長くなるように設けられている。このように第１フラップ５と第２フラップ８を設けることにより、第１フラップ５の上に補助吸収体を載せた際に、補助吸収体を着用者の肌により近付けて設置することができる。また、第２フラップ８は、吸収性物品１Ｂの幅方向ｘのより外側に設けられることとなるため、補助吸収体から尿等が溢れても、第２フラップ８によって尿等の横漏れが効果的に防止されるようになる。
【００８６】
以上、本発明の吸収性物品の構成例について説明したが、本発明の吸収性物品は上記の構成例に様々な変形を加えることができる。例えば、吸収性物品１Ａに第２フラップを設けてもよく、逆に吸収性物品１Ｂに第２フラップが設けられなくてもよい。また、第１弾性部材を中央領域で断続的に設けるとともに、第１フラップの外側面を、中央接合部が中間接合部よりも幅方向の外方に位置するように、トップシートに接合してもよい。その他の弾性部材についても、任意に配設または除去することができる。
【符号の説明】
【００８７】
１，１Ａ，１Ｂ：  吸収性物品
２：  トップシート
３：  バックシート
４：  吸収性コア
５，５Ａ，５Ｂ：  第１フラップ
６：  第１弾性部材
７：  センターシート
８，８Ａ，８Ｂ：  第２フラップ
９：  第２弾性部材
１０：  サイドシート
１１：  第３弾性部材
１２：  脚用弾性部材
１３：  ウェスト用弾性部材
Ｃ：  中央領域
Ｍ：  中間領域
Ｅ；  端部領域
【図１】
0006460903.tif 000002
【図２】
0006460903.tif 000003
【図３】
0006460903.tif 000004
【図４】
0006460903.tif 000005
【図５】
0006460903.tif 000006
【図６】
0006460903.tif 000007